(57)【要約】【課題】新たに機構を追加することなく、また検体あるいは試薬の、種別または分注量によって自動分析装置が持つ処理能力に影響がないよう、洗浄の能力を向上させることを可能とする自動分析装置を提供する。【解決手段】自動分析装置において、検体ノズルを保持する検体ノズルアームを駆動する検体ノズルアーム駆動制御部を含む検体分注機構３と、試薬ノズルを保持する試薬ノズルアームを駆動する試薬ノズルアーム駆動制御部を含む試薬分注機構８と、検体の分析中に、検体ノズルおよび試薬ノズルの少なくとも一方を洗浄し、検体ノズルを洗浄する際には、検体ノズルアーム駆動制御部を制御し、検体ノズルアームを動作させて、検体ノズルを振動させ、若しくは、試薬ノズルを洗浄する際には、試薬ノズルアーム駆動制御部を制御し、試薬ノズルアームを動作させて、試薬ノズルを振動させる装置制御部１８とを備えた。【選択図】図１
2014235001.tif 000002
【特許請求の範囲】
【請求項１】
検体と試薬を反応容器内で混合攪拌し反応させて得られる反応液の特性を測定し、前記検体を分析する自動分析装置であって、
前記検体の吸入および吐出を行う検体ノズル、前記検体ノズルを保持する検体ノズルアーム、および前記検体ノズルアームを駆動する検体ノズルアーム駆動制御部を含み、前記検体を前記反応容器に分注する検体分注機構と、
前記試薬の吸入および吐出を行う試薬ノズル、前記試薬ノズルを保持する試薬ノズルアーム、および前記試薬ノズルアームを駆動する試薬ノズルアーム駆動制御部を含み、前記試薬を前記反応容器に分注する試薬分注機構と、
前記検体の分析中に、前記検体ノズルおよび前記試薬ノズルの少なくとも一方を洗浄し、
前記検体ノズルを洗浄する際には、前記検体ノズルアーム駆動制御部を制御し、前記検体ノズルアームを動作させて、前記検体ノズルを振動させ、若しくは、前記試薬ノズルを洗浄する際には、前記試薬ノズルアーム駆動制御部を制御し、前記試薬ノズルアームを動作させて、前記試薬ノズルを振動させる装置制御部と、
を備えた、自動分析装置。
【請求項２】
請求項１に記載の自動分析装置において、
前記装置制御部は、前記検体ノズルを洗浄する際には、前記検体ノズルアーム駆動制御部を制御し、前記検体ノズルアームを上下方向に動作させ、若しくは、前記試薬ノズルを洗浄する際には、前記試薬ノズルアーム駆動制御部を制御し、前記試薬ノズルアームを上下方向に動作させる、自動分析装置。
【請求項３】
請求項１に記載の自動分析装置において、
前記装置制御部は、前記検体ノズルを洗浄する際には、前記検体ノズルアーム駆動制御部を制御し、前記検体ノズルアームを水平方向に動作させ、若しくは、前記試薬ノズルを洗浄する際には、前記試薬ノズルアーム駆動制御部を制御し、前記試薬ノズルアームを水平方向に動作させる、自動分析装置。
【請求項４】
請求項１に記載の自動分析装置において、
前記装置制御部は、前記検体ノズルを洗浄する際には、前記検体ノズルアーム駆動制御部を制御し、前記検体ノズルアームを回転方向に動作させ、若しくは、前記試薬ノズルを洗浄する際には、前記試薬ノズルアーム駆動制御部を制御し、前記試薬ノズルアームを回転方向に動作させる、自動分析装置。
【請求項５】
請求項１に記載の自動分析装置において、
前記装置制御部は、前記検体ノズルを洗浄する際には、前記検体ノズルアーム駆動制御部を制御し、前記検体ノズルアームを、上下方向に動作、水平方向に動作、および回転方向に動作のうち、少なくとも２つを組み合わせた動作で、動作させ、若しくは、前記試薬ノズルを洗浄する際には、前記試薬ノズルアーム駆動制御部を制御し、前記試薬ノズルアームを、上下方向に動作、水平方向に動作、および回転方向に動作のうち、少なくとも２つを組み合わせた動作で、動作させる、自動分析装置。
【請求項６】
請求項１に記載の自動分析装置において、
前記装置制御部は、前記検体の種別または分注量に基づいて、前記検体ノズルアームを動作させ、若しくは、前記試薬の種別または分注量に基づいて、前記試薬ノズルアームを動作させる、自動分析装置。
【請求項７】
請求項１に記載の自動分析装置において、
前記装置制御部は、前記検体ノズルを洗浄する際には、洗浄水が吐出される範囲内で前記検体ノズルアームを動作させ、若しくは、前記試薬ノズルを洗浄する際には、洗浄水が吐出される範囲内で前記試薬ノズルアームを動作させる、自動分析装置。
【請求項８】
請求項１に記載の自動分析装置において、
前記検体ノズルアーム駆動制御部および前記試薬ノズルアーム駆動制御部は、モータにより、前記検体ノズルアームおよび前記試薬ノズルアームを駆動し、
前記装置制御部は、前記検体ノズルアーム駆動制御部および前記試薬ノズルアーム駆動制御部の前記モータを、正方向の回転と負方向の回転とを繰り返し動作させ、前記検体ノズルアームおよび前記試薬ノズルアームを動作させる、自動分析装置。
【請求項９】
請求項８に記載の自動分析装置において、
前記モータはパルスモータであり、
前記装置制御部は、前記パルスモータを、正方向のパルスおよび負方向のパルスを交互に組み合わせたパルスにより、前記正方向の回転と前記負方向の回転とを繰り返し動作させる、自動分析装置。
【請求項１０】
請求項９に記載の自動分析装置において、
前記装置制御部は、前記正方向のパルスおよび前記負方向のパルスを、前記パルスモータの分解能に基づいたパルスとして制御する、自動分析装置。
【発明の詳細な説明】
【技術分野】
【０００１】
本発明は、生化学検査、免疫血清検査などの分析に用いられる自動分析装置に関し、特に、検体や試薬を分注するノズルの外壁および内壁を水などの液体で洗浄する技術に関するものである。
【背景技術】
【０００２】
自動分析装置は、検体を分注する検体分注機構や、試薬を分注する試薬分注機構や、反応容器内の反応液の成分の定性・定量分析するための光学系があり、この光学系１つで複数の反応液内の分析対象成分の定性・定量分析を順次実行できるように、反応容器を保持して恒温槽の周方向に沿って回転させるための反応容器回転機構を備えている。
【０００３】
検体分注機構で検体を吸引・吐出し、吐出後、検体分注機構のノズルの外壁および内壁に検体が付着し、コンタミネーションが生じてしまうため、ノズルの外壁および内壁に、以下のような洗浄を実施している。
【０００４】
ノズルの外壁に関しては液体をノズル外壁に当てることで、ノズル外壁と液体との間の速度差による剪断力を生じさせ、洗浄を実施している。
【０００５】
ノズルの内壁に関しては、ノズル内に液体を流すことで、ノズル内壁と液体との間の速度差による剪断力を生じさせ、洗浄を実施している。
【０００６】
しかし、上記の洗浄が不十分で、コンタミネーションが生じてしまい、分析性能に影響を及ぼす場合がある。
【０００７】
試薬分注機構でも同様の洗浄方法で、ノズルの外壁および内壁の洗浄が不十分でコンタミネーションが生じてしまい、分析性能に影響を及ぼす場合がある。
【０００８】
これに対し、従来では、特開２０００−３２９７７１号公報（特許文献１）に記載のようにノズル部材に微小変位発生部材を設け、微小変位発生部材によりノズルを振動させ、ノズル表面に付着した液体を剥離洗浄することや、特開２００９−０６８８７９号公報（特許文献２）に記載のようにノズルの外壁に表面弾性波素子を設け、洗浄水を吐出してノズルを洗浄する際に、ノズル内に音波を出射し、洗浄効率を向上させることで対応している。
【０００９】
また、特開２０１１−２２０９２８号公報（特許文献３）に記載のようにノズルが分注した検体あるいは試薬の、種別または分注量のうち少なくともいずれか一方に基づいて、ノズルの洗浄に用いる洗浄時間を制御することで対応している。
【先行技術文献】
【特許文献】
【００１０】
【特許文献１】特開２０００−３２９７７１号公報
【特許文献２】特開２００９−０６８８７９号公報
【特許文献３】特開２０１１−２２０９２８号公報
【発明の概要】
【発明が解決しようとする課題】
【００１１】
しかしながら、特許文献１の技術では、新たに微小変位発生部材を追加し、特許文献２の技術では、新たに表面弾性素子を追加することにより、自動分析装置が複雑になることやコストが高くなるという問題が生じる。また、特許文献３の技術では、洗浄時間を制御して対応しているが、検体あるいは試薬の種別または分注量によって、自動分析装置が持つ処理能力に影響を及ぼすという問題が生じる。
【００１２】
そこで、本発明の目的は、新たに機構を追加することなく、また検体あるいは試薬の、種別または分注量によって自動分析装置が持つ処理能力に影響がないよう、検体ノズルおよび試薬ノズルの内壁および外壁における洗浄水の剪断力を大きくし、従来の洗浄方法より洗浄の能力を向上させることを可能とする自動分析装置を提供することである。
【００１３】
本発明の前記ならびにその他の目的と新規な特徴は、本明細書の記述および添付図面から明らかになるであろう。
【課題を解決するための手段】
【００１４】
本願において開示される発明のうち、代表的なものの概要を簡単に説明すれば、次の通りである。
【００１５】
すなわち、代表的なものの概要は、検体と試薬を反応容器内で混合攪拌し反応させて得られる反応液の特性を測定し、検体を分析する自動分析装置であって、検体の吸入および吐出を行う検体ノズル、検体ノズルを保持する検体ノズルアーム、および検体ノズルアームを駆動する検体ノズルアーム駆動制御部を含み、検体を反応容器に分注する検体分注機構と、試薬の吸入および吐出を行う試薬ノズル、試薬ノズルを保持する試薬ノズルアーム、および試薬ノズルアームを駆動する試薬ノズルアーム駆動制御部を含み、試薬を反応容器に分注する試薬分注機構と、検体の分析中に、検体ノズルおよび試薬ノズルの少なくとも一方を洗浄し、検体ノズルを洗浄する際には、検体ノズルアーム駆動制御部を制御し、検体ノズルアームを動作させて、検体ノズルを振動させ、若しくは、試薬ノズルを洗浄する際には、試薬ノズルアーム駆動制御部を制御し、試薬ノズルアームを動作させて、試薬ノズルを振動させる装置制御部と、を備えたものである。
【発明の効果】
【００１６】
本願において開示される発明のうち、代表的なものによって得られる効果を簡単に説明すれば以下の通りである。
【００１７】
すなわち、本発明によれば、検体ノズルアームおよび試薬ノズルアームを動作させ、検体ノズルおよび試薬ノズルに振動を与えることで、検体ノズルおよび試薬ノズルを洗浄する際の検体ノズルおよび試薬ノズルの壁における洗浄水の剪断力を大きくすることができ、検体ノズルおよび試薬ノズルの洗浄能力を向上させることができる。
【００１８】
また、検体ノズルおよび試薬ノズルの洗浄の能力が向上することで、洗浄時間を制御する必要がなくなり、自動分析装置が持つ処理能力に影響がなく、さらに新たに機構を追加することなく、検体、試薬のコンタミネーションを軽減することができる。
【図面の簡単な説明】
【００１９】
【図１】本発明の実施の形態１に係る自動分析装置の構成を示す構成図である。
【図２】本発明の実施の形態１に係る自動分析装置の検体分注機構の構成を示す構成図である。
【図３】本発明の実施の形態１に係る自動分析装置の検体分注機構の検体吸入時の動作を示す図である。
【図４】本発明の実施の形態１に係る自動分析装置の検体分注機構の検体吸入後の動作を示す図である。
【図５】本発明の実施の形態１に係る自動分析装置の検体分注機構の検体吐出時の動作を示す図である。
【図６】本発明の実施の形態１に係る自動分析装置の検体分注機構の移動時における駆動パルスの一例を示す図である。
【図７】本発明の実施の形態１に係る自動分析装置の試薬分注機構の構成および動作を示す図である。
【図８】本発明の実施の形態１に係る自動分析装置の検体分注機構の洗浄動作を示す図である。
【図９】本発明の実施の形態１に係る自動分析装置の検体分注機構の洗浄動作中の検体ノズル洗浄機構の拡大図である。
【図１０】本発明の実施の形態１に係る自動分析装置の検体分注機構の洗浄時における駆動パルスの一例を示す図である。
【図１１】本発明の実施の形態１に係る自動分析装置の試薬分注機構の洗浄動作を示す図である。
【図１２】本発明の実施の形態１に係る自動分析装置の試薬分注機構の洗浄動作中の検体ノズル洗浄機構の拡大図である。
【図１３】本発明の実施の形態２に係る自動分析装置の検体分注機構の洗浄動作を示す図である。
【図１４】本発明の実施の形態２に係る自動分析装置の検体分注機構の洗浄動作中の検体ノズル洗浄機構の拡大図である。
【図１５】本発明の実施の形態２に係る自動分析装置の検体分注機構の洗浄動作を示す図である。
【図１６】本発明の実施の形態２に係る自動分析装置の検体分注機構の洗浄動作中の検体ノズル洗浄機構の拡大図である。
【図１７】本発明の実施の形態２に係る自動分析装置の試薬分注機構の洗浄動作を示す図である。
【図１８】本発明の実施の形態２に係る自動分析装置の試薬分注機構の洗浄動作中の試薬ノズル洗浄機構の拡大図である。
【図１９】本発明の実施の形態３に係る自動分析装置の検体分注機構の洗浄動作を示す図である。
【図２０】本発明の実施の形態３に係る自動分析装置の検体分注機構の洗浄動作中の検体ノズル洗浄機構の拡大図である。
【図２１】本発明の実施の形態３に係る自動分析装置の試薬分注機構の洗浄動作を示す図である。
【図２２】本発明の実施の形態３に係る自動分析装置の試薬分注機構の洗浄動作中の試薬ノズル洗浄機構の拡大図である。
【発明を実施するための形態】
【００２０】
以下、本発明の実施の形態を図面に基づいて詳細に説明する。なお、実施の形態を説明するための全図において、同一の部材には原則として同一の符号を付し、その繰り返しの説明は省略する。
【００２１】
（実施の形態１）
＜自動分析装置の構成＞
図１により、本発明の実施の形態１に係る自動分析装置の構成について説明する。図１は本発明の実施の形態１に係る自動分析装置の構成を示す構成図である。
【００２２】
図１において、自動分析装置は、検体と試薬を反応容器内で混合攪拌し反応させて得られる反応液の特性を測定し、検体を分析するものであり、検体が入った検体容器１を保持する検体ラック２、検体容器１内の検体を分注する検体分注機構３、検体分注機構３の吸入および吐出動作を制御する検体シリンジ機構４、および検体分注機構３の検体ノズルを洗浄する検体ノズル洗浄機構５を備えている。
【００２３】
自動分析装置は、また、試薬が入った試薬容器６を保持する試薬容器回転機構７、試薬を分注する試薬分注機構８、試薬分注機構８の吸入および吐出動作を制御する試薬シリンジ機構９、試薬分注機構８の試薬ノズルを洗浄する試薬ノズル洗浄機構１０、および試薬容器６の外壁に貼り付けられているラベルの試薬識別情報を読み取る試薬識別情報読み取り装置１１を備えている。
【００２４】
自動分析装置は、また、試料および試薬が分注される反応容器１２を保持する反応ディスク１３、反応ディスク１３の温度を一定に保つ恒温槽１４、恒温槽１４内に脱イオン水を送水する脱イオン水送流ポンプ１５、恒温槽１４内の脱イオン水を一定の温度に保つ脱イオン水恒温機構１６、および光学系１７を備えている。
【００２５】
また、検体分注機構３、検体シリンジ機構４、検体ノズル洗浄機構５、試薬容器回転機構７、試薬分注機構８、試薬シリンジ機構９、試薬ノズル洗浄機構１０、試薬識別情報読み取り装置１１、反応ディスク１３、脱イオン水送流ポンプ１５、脱イオン水恒温機構１６、および光学系１７は、自動分析装置全体の制御を行う装置制御部１８により制御されており、装置制御部１８が各部を制御することにより、検体の分析処理を行っている。
【００２６】
試薬容器回転機構７は、検体を分析するのに必要な試薬が入った試薬容器６を保持し、サンプリング位置に回転させるための機構であり、試薬容器回転機構７には、バーコードやＩＣタグ等の試薬識別情報を表示したラベルが貼られた複数の試薬容器６が配置される。
【００２７】
これらの試薬容器６には、自動分析装置によって分析する分析項目に対応する試薬液が収容されている。試薬容器回転機構７に付属された試薬識別情報読み取り装置１１は、試薬投入時に、各試薬容器６の外壁に表示されているラベルから試薬識別情報を読み取る。読み取られた試薬情報は、試薬容器回転機構７上の配置ポジションと共にメモリに登録される。
【００２８】
反応ディスク１３は、間欠回転可能に構成されており、透光性の材料からなる多数の反応容器１２が、円周に沿って配置されるよう、リング形状をしており、光学系１７を１つ設けることで複数の反応容器１２内の反応液の濃度を順次測定できるように、反応容器１２を保持し、恒温槽１４の円周方向に沿って回転させるための機構である。また、光学系１７に挟まれた測光位置を通るように、複数の反応容器１２の列を回転移動させる。また、この反応ディスク１３は、検体と試薬を反応させた反応液が入った複数の反応容器１２が、恒温槽１４内の一定温度の脱イオン水に浸されることで反応液の温度を一定に保つように、反応容器１２を保持している。
【００２９】
恒温槽１４は、一定温度の脱イオン水を貯水している。脱イオン水送流ポンプ１５は、恒温槽１４内に脱イオン水を送流するためのポンプである。また、脱イオン水恒温機構１６は、恒温槽１４内の脱イオン水を一定温度（例えば、３７℃前後）に保つために、脱イオン水を加熱・冷却するための温度調整機構であり、脱イオン水恒温機構１６で温度が調整された脱イオン水を、脱イオン水送流流路を介して脱イオン水送流ポンプ１５により恒温槽１４内に戻し、また、恒温槽１４内の脱イオン水を、脱イオン水送流流路を介して脱イオン水恒温機構１６に送ることで、恒温槽１４内の脱イオン水の温度を一定に保っている。
【００３０】
光学系１７は、反応容器１２内の反応液の成分の定性・定量分析するものであり、光源と多波長光度計とによって構成される。この光学系１７では、光源からの特定の波長の光を反応液が入った反応容器１２を透過させ、この透過後の光を光度計によって計測し、反応容器１２内の反応液の吸光度を検出している。
【００３１】
＜検体分注機構および試薬分注機構の構成および動作＞
次に、図２〜図７により、本発明の実施の形態１に係る自動分析装置の検体分注機構および試薬分注機構の構成および動作について説明する。図２は本発明の実施の形態１に係る自動分析装置の検体分注機構の構成を示す構成図である。
【００３２】
図３〜図５は本発明の実施の形態１に係る自動分析装置の検体分注機構の動作を示す図であり、図３は検体吸入時の動作、図４は検体吸入後の動作、図５は検体吐出時の動作を示している。図６は本発明の実施の形態１に係る自動分析装置の検体分注機構の移動時における駆動パルスの一例を示す図、図７は本発明の実施の形態１に係る自動分析装置の試薬分注機構の構成および動作を示す図である。
【００３３】
［検体分注機構の構成および動作］
検体分注機構３は、図２に示すように、検体ノズル１９を保持する検体ノズルアーム２０および検体ノズルアーム２０を駆動する検体ノズルアーム駆動制御部２１を備えている。図２に示す例では、検体ノズルアーム駆動制御部２１により、検体ノズルアーム２０は、前後左右への水平移動、回転移動、および上下移動で動作制御され、検体ノズル１９を検体容器１および反応容器１２の間で移動する。
【００３４】
検体分注機構３による検体の分注動作は、まず、図３に示すように、検体ノズルアーム駆動制御部２１により、検体ノズルアーム２０を水平移動、上下移動させ検体容器１の位置に移動させ、検体ノズル１９で検体容器１から所定量の検体を吸入する。
【００３５】
そして、図４および図５に示すように、検体ノズルアーム駆動制御部２１により、検体ノズルアーム２０を水平移動、回転移動、および上下移動させ、反応ディスク１３上の反応容器１２の位置に移動させ、反応容器１２内に検体を吐出する。この検体の吸入および吐出動作は検体シリンジ機構４により行う。
【００３６】
検体ノズルアーム２０の所定位置への水平移動、回転移動、および上下移動の動作駆動パラメータとしては、検体ノズルアーム駆動制御部２１は、例えば、パルスモータを使用していて、図６に示すように、パルスモータのパルス速度を徐々に上げていく加速、パルス速度を一定にする等速、パルス速度を徐々に下げていく減速を実施することで所定の位置に移動、静止させることができる。
【００３７】
なお、本実施の形態では、検体ノズルアーム駆動制御部２１に、パルスモータを使用した例を示したが、パルスモータに限らず、速度制御などを行えるモータであれば、その他のモータを使用してもよい。また、モータに限らず、検体ノズルアーム２０の所定位置への水平移動、回転移動、および上下移動させることができる構成であればよい。
【００３８】
［試薬分注機構の構成および動作］
また、試薬分注機構８は、図７に示すように、試薬ノズル２２を保持する試薬ノズルアーム２３および試薬ノズルアーム２３を駆動する試薬ノズルアーム駆動制御部２４を備えている。図７に示す例では、試薬ノズルアーム駆動制御部２４により、試薬ノズルアーム２３は、回転移動および上下移動で動作制御され、試薬ノズル２２を試薬容器６および反応容器１２の間で移動する。
【００３９】
試薬分注機構８による試薬の分注動作は、まず、図７に示すように、試薬ノズルアーム駆動制御部２４により、試薬ノズルアーム２３を回転移動および上下移動させ試薬容器６の位置に移動させ、試薬ノズル２２で試薬容器６から所定量の試薬を吸入し、試薬ノズルアーム２３を回転移動および上下移動させ反応ディスク１３上の反応容器１２の位置に移動させ、反応容器１２内に試薬を吐出する。この試薬の吸入および吐出動作は試薬シリンジ機構９により行う。
【００４０】
試薬ノズルアーム２３の所定位置への回転移動および上下移動の動作駆動パラメータは、検体分注機構３と同様で、試薬ノズルアーム駆動制御部２４は、例えば、パルスモータを使用していて、図６に示すように、パルスモータのパルス速度を徐々に上げていく加速、パルス速度を一定にする等速、パルス速度を徐々に下げていく減速を実施することで所定の位置に移動、静止させることができる。
【００４１】
なお、本実施の形態では、試薬ノズルアーム駆動制御部２４に、パルスモータを使用した例を示したが、パルスモータに限らず、速度制御などを行えるモータであれば、その他のモータを使用してもよい。また、モータに限らず、試薬ノズルアーム２３の所定位置への回転移動および上下移動させることができる構成であればよい。
【００４２】
＜検体分注機構および試薬分注機構の洗浄動作＞
次に、図８〜図１２により、本発明の実施の形態１に係る自動分析装置の検体分注機構および試薬分注機構の洗浄動作について説明する。図８は本発明の実施の形態１に係る自動分析装置の検体分注機構の洗浄動作を示す図、図９は本発明の実施の形態１に係る自動分析装置の検体分注機構の洗浄動作中の検体ノズル洗浄機構の拡大図である。図１０は本発明の実施の形態１に係る自動分析装置の検体分注機構の洗浄時における駆動パルスの一例を示す図、図１１は本発明の実施の形態１に係る自動分析装置の試薬分注機構の洗浄動作を示す図、図１２は本発明の実施の形態１に係る自動分析装置の試薬分注機構の洗浄動作中の検体ノズル洗浄機構の拡大図である。
【００４３】
［検体分注機構の上下振動による洗浄動作］
自動分析装置において、検体の分析中に次の分析を行う際には、前回の検体とのコンタミネーションにより、分析性能に影響を及ぼす場合、図８に示すように、検体ノズルアーム駆動制御部２１により、検体ノズルアーム２０を水平移動、回転移動、および上下移動させて、検体ノズル洗浄機構５の位置に移動させ、検体ノズル１９を、検体ノズル洗浄機構５から吐出される検体ノズル外壁洗浄水２５および検体シリンジ機構４によって制御される検体ノズル内壁洗浄水２６により洗浄する。この際、検体ノズルアーム駆動制御部２１により、検体ノズルアーム２０を上下方向に動作させ、検体ノズル１９に上下振動を与えながら洗浄を行う。
【００４４】
このように検体ノズル１９に上下振動を与えながら洗浄を行うことにより、図９に示すように、検体ノズル外壁１９ａの洗浄に関しては、検体ノズル外壁１９ａと検体ノズル外壁洗浄水２５との間に新たに上下方向に剪断力が生じるため、検体ノズル外壁１９ａの洗浄能力を向上させることができる。
【００４５】
また、検体ノズル内壁１９ｂの洗浄に関しては、検体ノズル内壁洗浄水２６の流れに上下方向の慣性力が作用し、検体ノズル内壁洗浄水２６の流れが乱れることで、検体ノズル内壁１９ｂと検体ノズル内壁洗浄水２６との間に大きな剪断力が生じるため、検体ノズル内壁１９ｂの洗浄能力を向上させることができる。
【００４６】
検体ノズルアーム駆動制御部２１による検体ノズルアーム２０の上下方向の動作については、図６に示すようなパルスによる、所定の位置に検体ノズルアーム２０を移動させるような上下方向への加速、等速、減速の動作ではなく、図１０に示すようなパルスにより、検体ノズルアーム２０を上下方向に動作させている。
【００４７】
図１０に示す例では、例えば、検体ノズルアーム駆動制御部２１内の上下方向のパルスモータの最小分解能パルスにて、正方向へのパルス速度と負方向へのパルス速度を組み合わせたパルスを示し、このパルスにより、パルスモータの最小分解能により上下方向に動作し、検体ノズル１９に微小な上下振動を与えることができる。
【００４８】
なお、このパルスについては、検体ノズルアーム２０を上下方向に動作させることができるパルスであれば、どのようなパルスを用いてもよい。
【００４９】
図１０に示すようなパルスにより、検体ノズルアーム２０を上下方向に動作させることで、検体ノズル１９にパルスモータの分解能に基づいた微小な上下振動を与えることができる。
【００５０】
［試薬分注機構の上下振動による洗浄動作］
また、自動分析装置において、前回の試薬とのコンタミネーションにより、分析性能に影響を及ぼす場合、図１１に示すように、試薬ノズルアーム駆動制御部２４により、試薬ノズルアーム２３を回転移動および上下移動させて、試薬ノズル洗浄機構１０の位置に移動させ、試薬ノズル２２を、試薬ノズル洗浄機構１０から吐出される試薬ノズル外壁洗浄水２７および試薬シリンジ機構９によって制御される試薬ノズル内壁洗浄水２８により洗浄する。この際、試薬ノズルアーム駆動制御部２４により、試薬ノズルアーム２３を上下方向に動作させ、試薬ノズル２２に上下振動を与えながら洗浄を行う。
【００５１】
このように試薬ノズル２２に上下振動を与えながら洗浄を行うことにより、図１２に示すように、試薬ノズル外壁２２ａの洗浄に関しては、試薬ノズル外壁２２ａと試薬ノズル外壁洗浄水２７との間に新たに上下方向に剪断力が生じるため、試薬ノズル外壁２２ａの洗浄能力を向上させることができる。
【００５２】
また、試薬ノズル内壁２２ｂの洗浄に関しては、試薬ノズル内壁洗浄水２８の流れに上下方向の慣性力を作用させ、試薬ノズル内壁洗浄水２８の流れを乱れさせることで、試薬ノズル内壁２２ｂと試薬ノズル内壁洗浄水２８との間に大きな剪断力が生じるため、試薬ノズル内壁２２ｂの洗浄能力を向上させることができる。
【００５３】
試薬ノズルアーム駆動制御部２４による試薬ノズルアーム２３の上下方向の動作については、検体分注機構３と同様に、図６に示すようなパルスによる、所定の位置に検体ノズルアーム２０を移動させるような上下方向への加速、等速、減速の動作ではなく、図１０に示すようなパルスにより、試薬ノズルアーム２３を上下方向に動作させている。
【００５４】
図１０に示すようなパルスにより、試薬ノズルアーム２３を上下方向に動作させることで、試薬ノズル２２にパルスモータの分解能に基づいた微小な上下振動を与えることができる。
【００５５】
［検体分注機構および試薬分注機構の制御例］
また、検体ノズルアーム駆動制御部２１および試薬ノズルアーム駆動制御部２４による、検体ノズルアーム２０および試薬ノズルアーム２３の上下方向の動作は、検体や試薬の種別または分注量によって、検体ノズルアーム駆動制御部２１および試薬ノズルアーム駆動制御部２４内のパルスモータに与えるパルスを制御することにより、固有の動作速度、動作時間、動作回数、および動作幅を変化させることも可能であり、このように制御することにより、分析項目によって最適な洗浄を実現することができる。
【００５６】
また、検体および試薬のコンタミネーションの影響がない場合は、消費電力を抑えるために検体ノズル１９および試薬ノズル２２を振動させないことも可能である。また、検体ノズル１９および試薬ノズル２２の先端が、検体ノズル外壁洗浄水２５および試薬ノズル外壁洗浄水２７が吐出されている範囲から外れることなく、振動させることで、より効率的な洗浄を実現することができる。
【００５７】
［本実施の形態の効果］
このように、本実施の形態では、検体ノズルアーム２０および試薬ノズルアーム２３を上下方向に動作させ、検体ノズル１９および試薬ノズル２２に上下振動を与えることにより、検体ノズル１９および試薬ノズル２２の洗浄能力を向上させているため、検体や試薬の種別または分注量によって、検体ノズル１９および試薬ノズル２２の洗浄時間を変える必要がなく、全分析項目の洗浄時間を同時間にすることができ、自動分析装置が持つ処理能力に影響を及ぼさずに、検体ノズル１９および試薬ノズル２２の洗浄の能力を向上させることができる。
【００５８】
また、検体ノズルアーム駆動制御部２１および試薬ノズルアーム駆動制御部２４による検体ノズルアーム２０および試薬ノズルアーム２３の上下方向の動作は、検体の分注および試薬の分注動作と同様のパルスモータの駆動により行うため、新たに機構を追加することなく、検体ノズル１９および試薬ノズル２２の洗浄の能力を向上させ、検体および試薬のコンタミネーションを軽減させることができる。
【００５９】
（実施の形態２）
実施の形態２は、実施の形態１において、検体ノズル１９および試薬ノズル２２の洗浄時の検体ノズルアーム２０および試薬ノズルアーム２３の上下方向の動作を、回転方向の動作または水平方向の動作としたものである。自動分析装置の構成は、図１に示す実施の形態１と同様であり、検体分注機構３および試薬分注機構８の検体ノズル１９および試薬ノズル２２の洗浄時の動作以外の動作も実施の形態１と同様である。
【００６０】
＜検体分注機構および試薬分注機構の洗浄動作＞
次に、図１３〜図１８により、本発明の実施の形態２に係る自動分析装置の検体分注機構および試薬分注機構の洗浄動作について説明する。図１３および図１５は本発明の実施の形態２に係る自動分析装置の検体分注機構の洗浄動作を示す図、図１４および図１６は本発明の実施の形態２に係る自動分析装置の検体分注機構の洗浄動作中の検体ノズル洗浄機構の拡大図である。図１７は本発明の実施の形態２に係る自動分析装置の試薬分注機構の洗浄動作を示す図、図１８は本発明の実施の形態２に係る自動分析装置の試薬分注機構の洗浄動作中の試薬ノズル洗浄機構の拡大図である。
【００６１】
なお、実施の形態２においては、検体分注機構３は、検体ノズルアーム２０の回転動作に加えて、水平動作も可能なため、回転方向の動作または水平方向の動作で動作させている。検体分注機構３は、試薬分注機構８と同様に上下方向の動作および回転方向の動作のみの構造であれば、回転方向の動作のみの動作となる。
【００６２】
また、試薬分注機構８は、試薬ノズルアーム２３の回転方向の動作で動作させている。試薬分注機構８は、試薬ノズルアーム２３が水平方向への移動可能な構造であれば、試薬ノズル２２においても同様に水平方向の振動は可能となる。
【００６３】
［検体分注機構の回転振動による洗浄動作］
検体分注機構３により検体ノズル１９の洗浄を行う場合、実施の形態１と同様に、図１３に示すように、検体ノズルアーム駆動制御部２１により、検体ノズルアーム２０を水平移動、回転移動、および上下移動させて、検体ノズル洗浄機構５の位置に移動させ、検体ノズル１９を、検体ノズル洗浄機構５から吐出される検体ノズル外壁洗浄水２５および検体シリンジ機構４によって制御される検体ノズル内壁洗浄水２６により洗浄する。この際、検体ノズルアーム駆動制御部２１により、検体ノズルアーム２０を回転方向に動作させ、検体ノズル１９に回転振動を与えながら洗浄を行う。
【００６４】
このように検体ノズル１９に回転振動を与えることにより、図１４に示すように、検体ノズル外壁１９ａの洗浄に関しては、検体ノズル外壁１９ａと検体ノズル外壁洗浄水２５との間に新たに回転方向に剪断力が生じるため、検体ノズル外壁１９ａの洗浄能力を向上させることができる。
【００６５】
また、検体ノズル内壁１９ｂの洗浄に関しては、検体ノズル内壁洗浄水２６の流れに回転方向の慣性力を作用させ、検体ノズル内壁洗浄水２６の流れを乱れさせることで、検体ノズル内壁１９ｂと検体ノズル内壁洗浄水２６との間に大きな剪断力が生じるため、検体ノズル内壁１９ｂの洗浄能力を向上させることができる。
【００６６】
検体ノズルアーム駆動制御部２１による検体ノズルアーム２０の回転方向の動作については、実施の形態１と同様に、図６に示すようなパルスによる、所定の位置に検体ノズルアーム２０を移動させるような回転方向への加速、等速、減速の動作ではなく、図１０に示すようなパルスにより、検体ノズルアーム２０を回転方向に動作させている。
【００６７】
図１０に示すようなパルスにより、検体ノズルアーム２０を回転方向に動作させることで、検体ノズル１９にパルスモータの分解能に基づいた微小な回転振動を与えることができる。
【００６８】
［検体分注機構の水平振動による洗浄動作］
また、検体分注機構３により検体ノズル１９の洗浄を行う別の方法として、図１５に示すように、検体ノズルアーム駆動制御部２１により、検体ノズルアーム２０を水平移動、回転移動、および上下移動させて、検体ノズル洗浄機構５の位置に移動させ、検体ノズル１９を、検体ノズル洗浄機構５から吐出される検体ノズル外壁洗浄水２５および検体シリンジ機構４によって制御される検体ノズル内壁洗浄水２６により洗浄する。この際、検体ノズルアーム駆動制御部２１により、検体ノズルアーム２０を水平方向に動作させ、検体ノズル１９に水平振動を与えながら洗浄を行う。図１５に示す例では、左右方向の水平振動を与えている。
【００６９】
このように検体ノズル１９に水平振動を与えることにより、図１６に示すように、検体ノズル外壁１９ａの洗浄に関しては、検体ノズル外壁１９ａと検体ノズル外壁洗浄水２５との間に新たに水平方向に剪断力が生じるため、検体ノズル外壁１９ａの洗浄能力を向上させることができる。
【００７０】
また、検体ノズル内壁１９ｂの洗浄に関しては、検体ノズル内壁洗浄水２６の流れに水平方向の慣性力を作用させ、検体ノズル内壁洗浄水２６の流れを乱れさせることで、検体ノズル内壁１９ｂと検体ノズル内壁洗浄水２６との間に大きな剪断力が生じるため、検体ノズル内壁１９ｂの洗浄能力を向上させることができる。
【００７１】
検体ノズルアーム駆動制御部２１による検体ノズルアーム２０の水平方向の動作については、実施の形態１と同様に、図６に示すようなパルスによる、所定の位置に検体ノズルアーム２０を移動させるような水平方向への加速、等速、減速の動作ではなく、図１０に示すようなパルスにより、検体ノズルアーム２０を水平方向に動作させている。
【００７２】
図１０に示すようなパルスにより、検体ノズルアーム２０を水平方向に動作させることで、検体ノズル１９にパルスモータの分解能に基づいた微小な水平振動を与えることができる。
【００７３】
［試薬分注機構の回転振動による洗浄動作］
試薬分注機構８により試薬ノズル２２の洗浄を行う場合、実施の形態１と同様に、図１７に示すように、試薬ノズルアーム駆動制御部２４により、試薬ノズルアーム２３を回転移動および上下移動させて、試薬ノズル洗浄機構１０の位置に移動させ、試薬ノズル２２を、試薬ノズル洗浄機構１０から吐出される試薬ノズル外壁洗浄水２７および試薬シリンジ機構９によって制御される試薬ノズル内壁洗浄水２８により洗浄する。この際、試薬ノズルアーム駆動制御部２４により、試薬ノズルアーム２３を回転方向に動作させ、試薬ノズル２２に回転振動を与えながら洗浄を行う。
【００７４】
このように試薬ノズル２２に回転振動を与えながら洗浄を行うことにより、図１８に示すように、試薬ノズル外壁２２ａの洗浄に関しては、試薬ノズル外壁２２ａと試薬ノズル外壁洗浄水２７との間に新たに回転方向に剪断力が生じるため、試薬ノズル外壁２２ａの洗浄能力を向上させることができる。
【００７５】
また、試薬ノズル内壁２２ｂの洗浄に関しては、試薬ノズル内壁洗浄水２８の流れに回転方向の慣性力を作用させ、試薬ノズル内壁洗浄水２８の流れを乱れせることで、試薬ノズル内壁２２ｂと試薬ノズル内壁洗浄水２８との間に大きな剪断力が生じるため、試薬ノズル内壁２２ｂの洗浄能力を向上させることができる。
【００７６】
試薬ノズルアーム駆動制御部２４による試薬ノズルアーム２３の回転方向の動作については、実施の形態１と同様に、図６に示すようなパルスによる、所定の位置に試薬ノズルアーム２３を移動させるような回転方向への加速、等速、減速の動作ではなく、図１０に示すようなパルスにより、試薬ノズルアーム２３を回転方向に動作させている。
【００７７】
図１０に示すようなパルスにより、試薬ノズルアーム２３を回転方向に動作させることで、試薬ノズル２２にパルスモータの分解能に基づいた微小な回転振動を与えることができる。
【００７８】
［検体分注機構および試薬分注機構の制御例］
本実施の形態においても、実施の形態１と同様に、検体ノズルアーム駆動制御部２１および試薬ノズルアーム駆動制御部２４による、検体ノズルアーム２０および試薬ノズルアーム２３の上下方向の動作は、検体や試薬の種別または分注量によって、検体ノズルアーム駆動制御部２１および試薬ノズルアーム駆動制御部２４内のパルスモータに与えるパルスを制御することにより、固有の動作速度、動作時間、動作回数、および動作幅を変化させることも可能であり、このように制御することにより、分析項目によって最適な洗浄を実現することができる。
【００７９】
また、検体および試薬のコンタミネーションの影響がない場合は、消費電力を抑えるために検体ノズル１９および試薬ノズル２２を振動させないことも可能である。また、検体ノズル１９および試薬ノズル２２の先端が、検体ノズル外壁洗浄水２５および試薬ノズル外壁洗浄水２７が吐出されている範囲から外れることなく、振動させることで、より効率的な洗浄を実現することができる。
【００８０】
［本実施の形態の効果］
このように、本実施の形態では、検体ノズルアーム２０を回転方向に動作または水平方向に動作させ、試薬ノズルアーム２３を回転方向に動作させ、検体ノズル１９に回転振動または水平振動を与え、試薬ノズル２２に回転振動を与えることにより、検体ノズル１９および試薬ノズル２２の洗浄能力を向上させているため、検体や試薬の種別または分注量によって、検体ノズル１９および試薬ノズル２２の洗浄時間を変える必要がなく、全分析項目の洗浄時間を同時間にすることができ、自動分析装置が持つ処理能力に影響を及ぼさずに、検体ノズル１９および試薬ノズル２２の洗浄の能力を向上させることができる。
【００８１】
また、検体ノズルアーム駆動制御部２１および試薬ノズルアーム駆動制御部２４による検体ノズルアーム２０および試薬ノズルアーム２３の回転方向の動作または水平方向の動作は、検体の分注および試薬の分注動作と同様のパルスモータの駆動により行うため、新たに機構を追加することなく、検体ノズル１９および試薬ノズル２２の洗浄の能力を向上させ、検体および試薬のコンタミネーションを軽減させることができる。
【００８２】
（実施の形態３）
実施の形態３は、実施の形態１および２において、検体ノズル１９および試薬ノズル２２の洗浄時の検体ノズルアーム２０および試薬ノズルアーム２３の微小上下動作、微小回転動作または微小水平動作を、微小上下動作、微小回転動作および微小水平動作を組み合わせた動作としたものである。自動分析装置の構成は、図１に示す実施の形態１と同様であり、検体分注機構３および試薬分注機構８の検体ノズル１９および試薬ノズル２２の洗浄時の動作以外の動作も実施の形態１と同様である。
【００８３】
＜検体分注機構および試薬分注機構の洗浄動作＞
次に、図１９〜図２２により、本発明の実施の形態３に係る自動分析装置の検体分注機構および試薬分注機構の洗浄動作について説明する。図１９は本発明の実施の形態３に係る自動分析装置の検体分注機構の洗浄動作を示す図、図２０は本発明の実施の形態３に係る自動分析装置の検体分注機構の洗浄動作中の検体ノズル洗浄機構の拡大図である。図２１は本発明の実施の形態３に係る自動分析装置の試薬分注機構の洗浄動作を示す図、図２２は本発明の実施の形態３に係る自動分析装置の試薬分注機構の洗浄動作中の試薬ノズル洗浄機構の拡大図である。
【００８４】
［検体分注機構の上下振動、回転振動および水平振動による洗浄動作］
検体分注機構３により検体ノズル１９の洗浄を行う場合、実施の形態１および２と同様に、図１９に示すように、検体ノズルアーム駆動制御部２１により、検体ノズルアーム２０を水平移動、回転移動、および上下移動させて、検体ノズル洗浄機構５の位置に移動させ、検体ノズル１９を、検体ノズル洗浄機構５から吐出される検体ノズル外壁洗浄水２５および検体シリンジ機構４によって制御される検体ノズル内壁洗浄水２６により洗浄する。この際、検体ノズルアーム駆動制御部２１により、検体ノズルアーム２０を上下方向、回転方向および水平方向に動作させ、検体ノズル１９に上下振動、回転振動および水平振動を与えながら洗浄を行う。
【００８５】
このように検体ノズル１９に上下振動、回転振動および水平振動を与えることにより、図２０に示すように、検体ノズル外壁１９ａの洗浄に関しては、検体ノズル外壁１９ａと検体ノズル外壁洗浄水２５との間に新たに上下方向、回転方向および水平方向に剪断力が生じるため、検体ノズル外壁１９ａの洗浄能力を向上させることができる。
【００８６】
また、検体ノズル内壁１９ｂの洗浄に関しては、検体ノズル内壁洗浄水２６の流れに上下方向、回転方向および水平方向の慣性力を作用させ、検体ノズル内壁洗浄水２６の流れを乱れさせることで、検体ノズル内壁１９ｂと検体ノズル内壁洗浄水２６との間に大きな剪断力が生じるため、検体ノズル内壁１９ｂの洗浄能力を向上させることができる。
【００８７】
検体ノズルアーム駆動制御部２１による検体ノズルアーム２０の上下方向の動作、回転方向の動作および水平方向の動作については、実施の形態１および２と同様に、図６に示すようなパルスによる、所定の位置に検体ノズルアーム２０を移動させるような上下方向、回転方向および水平方向への加速、等速、減速の動作ではなく、図１０に示すようなパルスにより、検体ノズルアーム２０を上下方向に動作、回転方向に動作および水平方向に動作させている。
【００８８】
図１０に示すようなパルスにより、検体ノズルアーム２０を上下方向に動作、回転方向に動作および水平方向に動作させることで、検体ノズル１９にパルスモータの分解能に基づいた微小な上下振動、パルスモータの分解能に基づいた微小な回転振動およびパルスモータの分解能に基づいた微小な水平振動を与えることができる。
【００８９】
なお、本実施の形態では、検体分注機構３での検体ノズル１９の洗浄は、上下振動、回転振動および水平振動により洗浄しているが、少なくとも、２つの振動を組み合わせればよい。
【００９０】
［試薬分注機構の微小上下振動および微小回転振動による洗浄動作］
試薬分注機構８により試薬ノズル２２の洗浄を行う場合、実施の形態１および２と同様に、図２１に示すように、試薬ノズルアーム駆動制御部２４により、試薬ノズルアーム２３を回転移動および上下移動させて、試薬ノズル洗浄機構１０の位置に移動させ、試薬ノズル２２を、試薬ノズル洗浄機構１０から吐出される試薬ノズル外壁洗浄水２７および試薬シリンジ機構９によって制御される試薬ノズル内壁洗浄水２８により洗浄する。この際、試薬ノズルアーム駆動制御部２４により、試薬ノズルアーム２３を上下方向に動作および回転方向に動作させ、試薬ノズル２２に上下振動および回転振動を与えながら洗浄を行う。
【００９１】
このように試薬ノズル２２に上下振動および回転振動を与えながら洗浄を行うことにより、図２２に示すように、試薬ノズル外壁２２ａの洗浄に関しては、試薬ノズル外壁２２ａと試薬ノズル外壁洗浄水２７との間に新たに上下方向および回転方向に剪断力が生じるため、試薬ノズル外壁２２ａの洗浄能力を向上させることができる。
【００９２】
また、試薬ノズル内壁２２ｂの洗浄に関しては、試薬ノズル内壁洗浄水２８の流れに上下方向および回転方向の慣性力を作用させ、試薬ノズル内壁洗浄水２８の流れを乱れさせることで、試薬ノズル内壁２２ｂと試薬ノズル内壁洗浄水２８との間に大きな剪断力が生じるため、試薬ノズル内壁２２ｂの洗浄能力を向上させることができる。
【００９３】
試薬ノズルアーム駆動制御部２４による試薬ノズルアーム２３の上下方向の動作および回転方向の動作については、実施の形態１および２と同様に、図６に示すようなパルスによる、所定の位置に試薬ノズルアーム２３を移動させるような上下方向および回転方向への加速、等速、減速の動作ではなく、図１０に示すようなパルスにより、試薬ノズルアーム２３を上下方向に動作および回転方向に動作させている。
【００９４】
図１０に示すようなパルスにより、試薬ノズルアーム２３を上下方向に動作および回転方向に動作させることで、試薬ノズル２２にパルスモータの分解能に基づいた微小な上下振動およびパルスモータの分解能に基づいた微小な回転振動を与えることができる。
【００９５】
［検体分注機構および試薬分注機構の制御例］
本実施の形態においても、実施の形態１および２と同様に、検体ノズルアーム駆動制御部２１および試薬ノズルアーム駆動制御部２４による、検体ノズルアーム２０および試薬ノズルアーム２３の上下方向の動作は、検体や試薬の種別または分注量によって、検体ノズルアーム駆動制御部２１および試薬ノズルアーム駆動制御部２４内のパルスモータに与えるパルスを制御することにより、固有の動作速度、動作時間、動作回数、および動作幅を変化させることも可能であり、このように制御することにより、分析項目によって最適な洗浄を実現することができる。
【００９６】
また、検体および試薬のコンタミネーションの影響がない場合は、消費電力を抑えるために振動させないことも可能である。また、検体ノズル１９および試薬ノズル２２の先端が、検体ノズル外壁洗浄水２５および試薬ノズル外壁洗浄水２７が吐出されている範囲から外れることなく、振動させることで、より効率的な洗浄を実現することができる。
【００９７】
［本実施の形態の効果］
このように、本実施の形態では、検体ノズルアーム２０を上下方向に動作、回転方向に動作および水平方向に動作させ、試薬ノズルアーム２３を上下方向に動作および回転方向に動作させ、検体ノズル１９に上下振動、回転振動および水平振動を与え、試薬ノズル２２に上下振動および回転振動を与えることにより、検体ノズル１９および試薬ノズル２２の洗浄能力を向上させているため、検体や試薬の種別または分注量によって、検体ノズル１９および試薬ノズル２２の洗浄時間を変える必要がなく、全分析項目の洗浄時間を同時間にすることができ、自動分析装置が持つ処理能力に影響を及ぼさずに、検体ノズル１９および試薬ノズル２２の洗浄の能力を向上させることができる。
【００９８】
また、実施の形態１および２の個別の振動を組み合わせることにより、それぞれの特長を活かした検体ノズル１９および試薬ノズル２２の洗浄を実施することができる。
【００９９】
また、検体ノズルアーム駆動制御部２１および試薬ノズルアーム駆動制御部２４による検体ノズルアーム２０および試薬ノズルアーム２３の上下方向の動作、回転方向の動作および水平方向の動作は、検体の分注および試薬の分注動作と同様のパルスモータの駆動により行うため、新たに機構を追加することなく、検体ノズル１９および試薬ノズル２２の洗浄の能力を向上させ、検体および試薬のコンタミネーションを軽減させることができる。
【符号の説明】
【０１００】
１…検体容器、２…検体ラック、３…検体分注機構、４…検体シリンジ機構、５…検体ノズル洗浄機構、６…試薬容器、７…試薬容器回転機構、８…試薬分注機構、９…試薬シリンジ機構、１０…試薬ノズル洗浄機構、１１…試薬識別情報読み取り装置、１２…反応容器、１３…反応ディスク、１４…恒温槽、１５…脱イオン水送流ポンプ、１６…脱イオン水恒温機構、１７…光学系、１８…装置制御部、１９…検体ノズル、１９ａ…検体ノズル外壁、１９ｂ…検体ノズル内壁、２０…検体ノズルアーム、２１…検体ノズルアーム駆動制御部、２２…試薬ノズル、２２ａ…試薬ノズル外壁、２２ｂ…試薬ノズル内壁、２３…試薬ノズルアーム、２４…試薬ノズルアーム駆動制御部、２５…検体ノズル外壁洗浄水、２６…検体ノズル内壁洗浄水、２７…試薬ノズル外壁洗浄水、２８…試薬ノズル内壁洗浄水。
【図１】
2014235001.tif 000003
【図２】
2014235001.tif 000004
【図３】
2014235001.tif 000005
【図４】
2014235001.tif 000006
【図５】
2014235001.tif 000007
【図６】
2014235001.tif 000008
【図７】
2014235001.tif 000009
【図８】
2014235001.tif 000010
【図９】
2014235001.tif 000011
【図１０】
2014235001.tif 000012
【図１１】
2014235001.tif 000013
【図１２】
2014235001.tif 000014
【図１３】
2014235001.tif 000015
【図１４】
2014235001.tif 000016
【図１５】
2014235001.tif 000017
【図１６】
2014235001.tif 000018
【図１７】
2014235001.tif 000019
【図１８】
2014235001.tif 000020
【図１９】
2014235001.tif 000021
【図２０】
2014235001.tif 000022
【図２１】
2014235001.tif 000023
【図２２】
2014235001.tif 000024